(57)【特許請求の範囲】
【請求項１】
外枠内に回転自在に配設し外周内面に複数個のバッフルを取着した回転ドラムと、前記回転ドラム内へ温風を送風する送風手段と、前記送風手段からの送風を加熱する加熱手段と、前記送風手段および加熱手段を有する送風経路とを備え、前記回転ドラムには、前記送風経路内で加熱された温風を吹き出す吹出口に対向して送風口を設け、前記バッフルの後端には、前記送風口に対向して温風流入口を設け、前記バッフルの内部には前記送風口および温風流入口と連通する風洞を設け、前記送風口および温風流入口を介して前記風洞に入った温風が、前記バッフルの温風流入口の反対側の前端面に設けた複数の送風穴より前記回転ドラム内に吹き出されるように構成するとともに、前記バッフルのうち少なくとも１個は、他のバッフルより奥行、高さが小さくなるように構成した衣類乾燥機。
【請求項２】
他のバッフルより奥行、高さを小さくしたバッフルには、送風穴を設けないように構成した請求項１記載の衣類乾燥機。
【発明の詳細な説明】
【０００１】
【産業上の利用分野】
本発明は、モータで回転駆動される回転ドラム内へ温風を循環して衣類を乾燥させる衣類乾燥機に関するものである。
【０００２】
【従来の技術】
従来、衣類乾燥機は図７および図８に示すように構成していた。以下、その構成について説明する。
【０００３】
図７に示すように、外枠１は、内部に衣類を収納して攪拌し乾燥させる回転ドラム２を回転自在に設けている。両翼ファン３は冷却風４と循環風（温風）５とを熱交換させるとともに送風機能を有しており、循環側ファンケース６に回転自在に収納している。シャフト７は回転ドラム２および両翼ファン３を軸支している。モータ８は回転ドラム２および両翼ファン３を回転駆動する。裏板９は外枠１の後面を覆い、冷却風４を吸排気する吸排気口９ｘを設けている。
【０００４】
循環側ファンケース６は、中央部に吸気穴６ａを設けかつ吹出口６ｂを略外周部に設けている。冷却側ファンケース１０は循環側ファンケース６に延設したフランジ６ｃに固着している。ヒータ１１は循環側ファンケース６の吹出口６ｂに近接して設けている。回転ドラム２は後面略中央部に吸気口２ａを設け、かつ外周部にヒータ１１に対向して複数個の送風口２ｂを設けている。
【０００５】
バッフル１２は、送風口２ｂと連通する風洞１２ａを有し、図８に示すように、胴部の温風流入口側の上面１２ｃと凹部上面１２ｄとに複数の送風穴１２ａを設け、回転ドラム２の外周内壁にほぼ等間隔に複数個取着している。また、循環側ファンケース６の吸気穴６ａの外周に略円筒状の内側シール１３を設け、かつヒータ１１の外周に略円筒状の外側シール１４を設け、吸気穴６ａと吹出口６ｂとを気密的に分離している。
【０００６】
上記構成において、モータ８が回転すると、回転ドラム２および両翼ファン３が回転する。両翼ファン３が回転すると冷却風４と循環風５が発生し、循環風５は循環側ファンケース６に至り、循環側ファンケース６の吹出口６ｂよりヒータ１１を経由して内側シール１３と外側シール１４との間を通り、回転ドラム２の送風口２ｂを経由しバッフル１２の風洞１２ａより送風穴１２ｂに至り、回転ドラム２内に導入されて衣類を乾燥し、回転ドラム２の吸気口２ａから循環側ファンケース６の吸気穴６ａ、両翼ファン３という流れを形成する。一方、衣類と熱交換し高温多湿となった循環風５は凝縮水となり、排水口１５より外枠１外へ排水される。
【０００７】
【発明が解決しようとする課題】
このような従来の衣類乾燥機では、複数個のバッフル１２は、形状、寸法がすべて同じで、ほぼ等間隔に取着しているため、回転ドラム２内に衣類を入れて回転ドラム２を回転し、攪拌したとき、衣類が団子状になりやすく、衣類が少量の場合は回転ドラム２の外周内壁にくっつきやすくなって、乾燥性能が悪く、特に乾燥むらが大きくなるという問題を有していた。
【０００８】
また、複数個のバッフル１２すべてに複数個の送風穴１２ｂを設けているため、送風穴１２ｂより回転ドラム２内に循環風（温風）５をほぼ均一に吹き出すことができるが、バッフル１２の１個当たりの送風圧、温風流量を大きくすることができないため、衣類を集中的に乾燥することができないという問題を有していた。
【０００９】
また、バッフル１２の送風穴１２ｂは、バッフル１２の上面に設けているため、送風穴１２ｂと回転ドラム２の吸気口２ａとの距離が短く、送風穴１２ｂから吹き出した循環風５が回転ドラム２内の衣類の間を通らず吸気穴２ａに入りやすく、乾燥効率が悪いという問題を有していた。
【００１０】
また、バッフル１２は、回転ドラム２の平面状の外周内壁に固着しているため、バッフル１２と回転ドラム２の外周内壁との間に、カッターシャツの襟、ボタン、ブラジャーのワイヤーなどが入り込みやすく、これらが入り込んだ場合は、衣類がからみつき、破損する恐れがあるという問題を有していた。
【００１１】
本発明は上記課題を解決するもので、回転ドラム内の衣類をランダムに攪拌して攪拌効果を高め、乾燥むらを少なくするとともに、回転ドラム内での温風通過経路を長くして衣類への受熱効果を高め、乾燥効率を向上させることを第１の目的としている。
【００１２】
また、送風穴を有するバッフルより温風を集中して吹き出し、衣類への温風通過性を向上し、乾燥性能を向上することを第２の目的としている。
【００１３】
【課題を解決するための手段】
本発明は上記第１の目的を達成するために、本発明の衣類乾燥機は、外枠内に回転自在に配設し外周内面に複数個のバッフルを取着した回転ドラムと、前記回転ドラム内へ温風を送風する送風手段と、前記送風手段からの送風を加熱する加熱手段と、前記送風手段および加熱手段を有する送風経路とを備え、前記回転ドラムには、前記送風経路内で加熱された温風を吹き出す吹出口に対向して送風口を設け、前記バッフルの後端には、前記送風口に対向して温風流入口を設け、前記バッフルの内部には前記送風口および温風流入口と連通する風洞を設け、前記送風口および温風流入口を介して前記風洞に入った温風が、前記バッフルの温風流入口の反対側の前端面に設けた複数の送風穴より前記回転ドラム内に吹き出されるように構成するとともに、前記バッフルのうち少なくとも１個は、他のバッフルより奥行、高さが小さくなるように構成したことを第１の課題解決手段としている。
【００１４】
また、第２の目的を達成するために、本発明の衣類乾燥機は、上記第１の課題解決手段に加えて、他のバッフルより奥行、高さを小さくしたバッフルには、送風穴を設けないように構成したことを第２の課題解決手段としている。
【００１５】
【作用】
本発明は第１の課題解決手段により、回転ドラム内に衣類を入れて回転ドラムを回転させると、衣類はバッフルによって攪拌され、このとき、バッフルのうち少なくとも１個は他のバッフルより奥行、高さが小さくなるように構成しているため、回転ドラム内の浴比を大きくすることができるとともに、奥行、高さが小さいバッフルの衣類に作用する力が小さくなり、回転ドラムが１回転したときの衣類に作用する攪拌力にアンバランスを生じ、このため、回転ドラム内の衣類はランダムに攪拌され、攪拌効果を高め、乾燥むらを少なくすることができ、また、バッフルの温風流入口の反対側の前端面に設けた送風穴から吹き出される温風は、衣類に直接吹き付けられることなく、回転ドラム内に吹き出されるので、衣類の収縮を少なくすることができるとともに、回転ドラム内での温風流通経路を長くとることができ、衣類への受熱効果を高めることができ、乾燥効率、乾燥性能を向上させることができる。
【００１６】
また、第２の課題解決手段により、他のバッフルより奥行、高さを小さくしたバッフルには、送風穴を設けないように構成しているため、送風穴を有するバッフルより温風を集中して吹き出すことができ、送風穴を有するバッフルへの送風圧、温風流量を増大することができ、衣類への温風通過性をよくすることができ、乾燥性能を向上させることができる。
【００１７】
【実施例】
以下、本発明の第１の実施例を図１から図４を参照しながら説明する。なお、従来例と同じ構成のものは同一符号を符して説明する。
【００１８】
図１に示すように、回転ドラム２は、外周内壁に複数個のバッフル１６、１７をほぼ等間隔に取着し、バッフル１６は、図２に示すように、胴部の反温風流入口側の上面と前方側面に複数の送風穴１６ａを設け、回転ドラム２の送風口２ｂと対向する温風流入口１６ｂの高さは、回転ドラム２の外周内壁よりヒータ１１の位置までの長さより長くしている。このことにより、両翼ファン（送風手段）３により送風され、ヒータ（加熱手段）１１によって加熱された温風をバッフル１６内に流入し、送風穴１６ａより回転ドラム２内に温風を吹き出すようにしている。なお、循環側ファンケース６の吹出口６ｂを複数個設け、それぞれの吹出口６ｂにヒータ１１を設けている。
【００１９】
バッフル１７は、図３に示すように、温風流入口１７ｂの高さは、バッフル１６の温風流入口１６ｂの高さと同じにし、奥行Ｌ、高さＨをバッフル１６より小さくし、このバッフル１７には送風穴を設けないようにしている。また、このバッフル１７は１個設けている。他の構成は従来例と同じである。
【００２０】
上記構成において、回転ドラム１内に衣類を入れて運転を開始し、回転ドラム２を回転させると、衣類はバッフル１６、１７によって攪拌される。このとき、バッフル１７はバッフル１６より奥行、高さを小さくしているため、バッフル１７の衣類に作用する力が小さくなり、回転ドラム２が１回転したときの衣類に作用する攪拌力にアンバランスを生じる。
【００２１】
このため、回転ドラム２内の衣類はランダムに攪拌され、攪拌効果を高め、団子状になることがなく、バッフル１６の送風穴１６ａより吹き出した温風は衣類の中を通過し、衣類をまんべんなく乾燥することができ、また、衣類の量が少ない場合でも、攪拌力のアンバランスによって回転ドラム２の外周内壁にくっつきにくくすることができ、乾燥むらを小さくすることができて、乾燥性能を向上することができる。
【００２２】
また、バッフル１７に送風穴を設けていないため、バッフル１６より温風を集中して吹き出すことができ、バッフル１６への送風圧、温風流量を増大することができて、衣類への温風通過性をよくすることができ、乾燥性能を向上することができる。
【００２３】
また、バッフル１６の反温風流入口側の前方側面に設けた送風穴１６ａから吹き出す温風は、衣類に直接吹き付けることなく回転ドラム２内に吹き出すことができ、衣類の収縮を少なくすることができるとともに、回転ドラム２内での温風流通経路を長くとることができ、衣類への受熱効果を高めることができ、乾燥効率を向上することができる。
【００２４】
なお、上記実施例では、バッフル１６より奥行、高さが小さいバッフル１７を１個用いているが、２個以上であってもよい。また、バッフル１７に送風穴を設けないようにしているが、バッフル１６の内少なくとも１個に送風穴を設けないようにしてもよい。
【００２５】
つぎに、本発明の第２の実施例を図５および図６を参照しながら説明する。なお、上記第１の実施例と同じ構成のものは同一符号を符して説明する。
【００２６】
図に示すように、バッフル１６は、回転ドラム１８の外周内壁に複数設けた嵌合穴１９に爪嵌合する爪２０を設けている。回転ドラム１８の外周内壁には、バッフル１６の外周部１６ｃの径方向の側面を囲むように凸部２１を形成している。この凸部２１は、バッフル１６側は略垂直な壁面２１ａを有し、反バッフル側は緩斜面２１ｂとしている。他の構成は上記第１の実施例と同じである。
【００２７】
上記構成において、バッフル１６に設けた爪２０を嵌合穴１９の幅広部１９ａに挿入し、バッフル１６を幅狭部１９ｂの方向にスライドさせることにより、バッフル１６を回転ドラム１８の外周内壁に爪嵌合させることができ、回転ドラム１８の側壁にねじ（図示せず）により締着してバッフル１６を回転ドラム１８に取着することができる。
【００２８】
この状態で、バッフル１６の外周部１６ｃの径方向の側面は凸部２１によって囲まれており、この凸部２１は、バッフル１６側は略垂直な壁面２１ａを有し、反バッフル側は緩斜面２１ｂとしているため、回転ドラム１８を回転して衣類を攪拌するとき、カッターシャツの襟、ボタン、ブラジャーのワイヤーなどがバッフル１６と回転ドラム１８の外周内壁との間に入り込むことがない。したがって、これによる衣類のからみつき、破損を防止することができる。
【００２９】
なお、上記実施例では、バッフル１６を取着している回転ドラム１８の外周内壁について説明したが、バッフル１７を取着している回転ドラム１８の外周内壁についても同様にして構成することができる。
【００３０】
【発明の効果】
以上のように本発明の衣類乾燥機は、外枠内に回転自在に配設し外周内面に複数個のバッフルを取着した回転ドラムと、前記回転ドラム内へ温風を送風する送風手段と、前記送風手段からの送風を加熱する加熱手段と、前記送風手段および加熱手段を有する送風経路とを備え、前記回転ドラムには、前記送風経路内で加熱された温風を吹き出す吹出口に対向して送風口を設け、前記バッフルの後端には、前記送風口に対向して温風流入口を設け、前記バッフルの内部には前記送風口および温風流入口と連通する風洞を設け、前記送風口および温風流入口を介して前記風洞に入った温風が、前記バッフルの温風流入口の反対側の前端面に設けた複数の送風穴より前記回転ドラム内に吹き出されるように構成するとともに、前記バッフルのうち少なくとも１個は、他のバッフルより奥行、高さが小さくなるように構成したから、回転ドラム内の衣類が攪拌されるとき、バッフルのうち少なくとも１個は他のバッフルより奥行、高さを小さくしているため、回転ドラム内の浴比を大きくすることができるとともに、奥行、高さが小さいバッフルの衣類に作用する力が小さくなり、回転ドラムが１回転したときの衣類に作用する攪拌力にアンバランスを生じ、回転ドラム内の衣類はランダムに攪拌され、攪拌効果を高め、乾燥むらを少なくすることができ、また、バッフルの温風流入口の反対側の前端面に設けた送風穴から吹き出される温風は、衣類に直接吹き付けられることなく、回転ドラム内に吹き出されるので、衣類の収縮を少なくすることができるとともに、回転ドラム内での温風流通経路を長くとることができ、衣類への受熱効果を高めることができ、乾燥効率、乾燥性能を向上することができる。
【００３１】
また、他のバッフルより奥行、高さを小さくしたバッフルには、送風穴を設けないように構成したから、送風穴を有するバッフルより温風を集中して吹き出すことができ、送風穴を有するバッフルへの送風圧、温風流量を増大することができ、衣類への温風通過性をよくすることができ、乾燥性能を向上させることができる。
【図面の簡単な説明】
【図１】  本発明の第１の実施例の衣類乾燥機の縦断正面図
【図２】  同衣類乾燥機のバッフルの一例の拡大斜視図
【図３】  同衣類乾燥機のバッフルの他の例の拡大斜視図
【図４】  同衣類乾燥機の縦断側面図
【図５】  本発明の第２の実施例の衣類乾燥機の回転ドラムの一部切欠した断面図
【図６】  同衣類乾燥機の回転ドラムの要部斜視図
【図７】  従来の衣類乾燥機の縦断側面図
【図８】  同衣類乾燥機のバッフルの拡大斜視図
【符号の説明】
１  外枠
２  回転ドラム
３  両翼ファン（送風手段）
１１  ヒータ（加熱手段）
１６  バッフル
１６ａ  送風穴
１７  バッフル
【図１】
0003713757.tif 000002
【図２】
0003713757.tif 000003
【図３】
0003713757.tif 000004
【図４】
0003713757.tif 000005
【図５】
0003713757.tif 000006
【図６】
0003713757.tif 000007
【図７】
0003713757.tif 000008
【図８】
0003713757.tif 000009